(57)【要約】【課題】室内外に気圧差があったとしても、容易に扉の開閉を行うことのできる室内外差圧解消装置を提供する。【解決手段】本発明は、キー又はサムターン１１の回転操作によりデッドボルト３３が錠ケース１６のフロント１９から進退して施解錠する施錠装置１２と、室内外を連通する空気流通路と、空気流通路を開閉する開閉板１４とを備えた扉１５に設けられる室内外差圧解消装置１０であって、施錠装置１２と開閉板１４とを連結し、キー又はサムターン１１の回転操作に連動して軸方向に移動して開閉板１４を移動させるロッド６９を備え、ロッド６９は、施錠装置１２の施錠動作に連動して空気流通路を閉鎖する方向に開閉板１４を移動させる一方、施錠装置１２の解錠動作に連動して空気流通路を開放する方向に開閉板１４を移動させることを特徴とする。【選択図】図２
2012007464.tif 000002
【特許請求の範囲】
【請求項１】
キー又はサムターンの回転操作によりデッドボルトが錠ケースのフロントから進退して施解錠する施錠装置と、室内外を連通する空気流通路と、該空気流通路を開閉する開閉板とを備えた扉に設けられる室内外差圧解消装置であって、
前記施錠装置と前記開閉板とを連結し、前記キー又はサムターンの回転操作に連動して軸方向に移動して前記開閉板を移動させるロッドを備え、該ロッドは、前記施錠装置の施錠動作に連動して前記空気流通路を閉鎖する方向に前記開閉板を移動させる一方、前記施錠装置の解錠動作に連動して前記空気流通路を開放する方向に前記開閉板を移動させることを特徴とする室内外差圧解消装置。
【請求項２】
前記施錠装置は、径方向に延出して前記デッドボルトの後端部に連結される駆動腕を有すると共に周方向に駆動歯を有して前記キー又はサムターンの回転操作に連動して回転するダルマと、該ダルマの駆動歯に噛合する従動歯を周方向に有して前記ダルマの回転に伴って回転するクランク板と、該クランク板に連結されて該クランク板の回転に伴って昇降するスライダーとを備え、該スライダーの下端に前記ロッドの上端が連結され、前記ロッドは前記スライダーと共に昇降可能に設けられている請求項１に記載の室内外差圧解消装置。
【請求項３】
前記ロッドの下端部に接続される昇降部材と、該昇降部材に押圧されて一端側を支点に回転可能な前記開閉板と、を備え、
前記ロッドが上昇すると、前記昇降部材が上昇して前記空気流通路を開放する方向に前記開閉板が回転し、
前記ロッドが下降すると、前記昇降部材が下降して前記空気流通路を閉鎖する方向に前記開閉板が回転する請求項１又は２に記載の室内外差圧解消装置。
【請求項４】
前記昇降部材は、係合穴が設けられたスライドバーであり、
前記開閉板には、前記係合穴に上下動可能に係合する係合突起が設けられ、
前記ロッドが上昇すると、前記係合穴の周囲の前記スライドバーが前記係合突起を押上げて前記空気流通路を開放する方向に前記開閉板が回転し、
前記ロッドが下降すると、前記係合穴の周囲の前記スライドバーが前記係合突起を押下げて前記空気流通路を閉鎖する方向に前記開閉板が回転する請求項３に記載の室内外差圧解消装置。
【請求項５】
前記昇降部材は、前記ロッドに連結されたプッシュプレートであり、
前記開閉板は、ローラを軸支すると共に付勢部材によって前記空気流通路を開放する方向に付勢され、
前記ロッドが下降すると、前記プッシュプレートが前記ローラを押下げて、前記付勢部材の付勢力に抗して前記空気流通路を閉鎖する方向に前記開閉板が回転し、
前記ロッドが上昇すると、前記プッシュプレートによる前記ローラの押下げが解除されて、前記付勢部材の付勢力により前記空気流通路を開放する方向に前記開閉板が回転する請求項３に記載の室内外差圧解消装置。
【発明の詳細な説明】
【技術分野】
【０００１】
本発明は、キー又はサムターンの回転操作に連動して扉に設けられた空気流通路を開閉させる室内外差圧解消装置に関する。
【背景技術】
【０００２】
従来、部屋への人や物の出入りのために設置される扉の気密性や防音性を得るため、扉の枠にはシールパッキン等によるシール構造が取り付けられている（例えば、特許文献１参照）。
【先行技術文献】
【特許文献】
【０００３】
【特許文献１】特開平９−４３３９号公報
【発明の概要】
【発明が解決しようとする課題】
【０００４】
しかしながら、上記した従来の扉では、例えば、扉に向かって強い風が吹き付けていたり、室内において換気扇を動作させて室内の空気を室外に排気しているような場合には、室内の気圧が負圧になり扉が開け難くなる。一方、部屋の窓を開放して室外の空気を取り入れているような場合には室外の気圧が負圧になり、部屋への出入りの際に、気圧差により、扉が急に開いたり、或いは扉が閉め難かったりして、扉の開閉を容易に行うことができないといった問題が生じていた。
【０００５】
本発明は、上記した課題を解決すべくなされたものであり、室内外に気圧差があったとしても、容易に扉の開閉を行うことのできる室内外差圧解消装置を提供することを目的とする。
【課題を解決するための手段】
【０００６】
本発明は、キー又はサムターンの回転操作によりデッドボルトが錠ケースのフロントから進退して施解錠する施錠装置と、室内外を連通する空気流通路と、該空気流通路を開閉する開閉板とを備えた扉に設けられる室内外差圧解消装置であって、前記施錠装置と前記開閉板とを連結し、前記キー又はサムターンの回転操作に連動して軸方向に移動して前記開閉板を移動させるロッドを備え、該ロッドは、前記施錠装置の施錠動作に連動して前記空気流通路を閉鎖する方向に前記開閉板を移動させる一方、前記施錠装置の解錠動作に連動して前記空気流通路を開放する方向に前記開閉板を移動させることを特徴とする。
【０００７】
本発明に係る室内外差圧解消装置において、前記施錠装置は、径方向に延出して前記デッドボルトの後端部に連結される駆動腕を有すると共に周方向に駆動歯を有して前記キー又はサムターンの回転操作に連動して回転するダルマと、該ダルマの駆動歯に噛合する従動歯を周方向に有して前記ダルマの回転に伴って回転するクランク板と、該クランク板に連結されて該クランク板の回転に伴って昇降するスライダーとを備え、該スライダーの下端に前記ロッドの上端が連結され、前記ロッドは前記スライダーと共に昇降可能に設けられているのが好ましい。
【０００８】
本発明に係る室内外差圧解消装置において、前記ロッドの下端部に接続される昇降部材と、該昇降部材に押圧されて一端側を支点に回転可能な前記開閉板と、を備え、前記ロッドが上昇すると、前記昇降部材が上昇して前記空気流通路を開放する方向に前記開閉板が回転し、前記ロッドが下降すると、前記昇降部材が下降して前記空気流通路を閉鎖する方向に前記開閉板が回転しても良い。
【０００９】
本発明に係る室内外差圧解消装置において、前記昇降部材は、係合穴が設けられたスライドバーであり、前記開閉板には、前記係合穴に上下動可能に係合する係合突起が設けられ、前記ロッドが上昇すると、前記係合穴の周囲の前記スライドバーが前記係合突起を押上げて前記空気流通路を開放する方向に前記開閉板が回転し、前記ロッドが下降すると、前記係合穴の周囲の前記スライドバーが前記係合突起を押下げて前記空気流通路を閉鎖する方向に前記開閉板が回転しても良い。
【００１０】
本発明に係る室内外差圧解消装置において、前記昇降部材は、前記ロッドに連結されたプッシュプレートであり、前記開閉板は、ローラを軸支すると共に付勢部材によって前記空気流通路を開放する方向に付勢され、前記ロッドが下降すると、前記プッシュプレートが前記ローラを押下げて、前記付勢部材の付勢力に抗して前記空気流通路を閉鎖する方向に前記開閉板が回転し、前記ロッドが上昇すると、前記プッシュプレートによる前記ローラの押下げが解除されて、前記付勢部材の付勢力により前記空気流通路を開放する方向に前記開閉板が回転しても良い。
【発明の効果】
【００１１】
本発明によれば、施錠装置の解錠動作に連動して空気流通路が開閉板により開放されるため、室内外に気圧差があったとしても、容易に扉の開閉を行うことができる。
【図面の簡単な説明】
【００１２】
【図１】本発明の第１の実施の形態に係る室内外差圧解消装置において施錠装置の施錠動作に連動して採風口が閉鎖されている状態を示す断面図である。
【図２】本発明の第１の実施の形態に係る室内外差圧解消装置における施錠装置の施錠状態を示す断面図である。
【図３】本発明の第１の実施の形態に係る室内外差圧解消装置において施錠装置の解錠動作に連動して採風口が開放されている状態を示す断面図である。
【図４】本発明の第１の実施の形態に係る室内外差圧解消装置における施錠装置の解錠状態を示す断面図である。
【図５】本発明の第１の実施の形態に係る室内外差圧解消装置におけるロッドを示す平面図である。
【図６】本発明の第２の実施の形態に係る室内外差圧解消装置において、扉の背面図である。
【図７】本発明の第２の実施の形態に係る室内外差圧解消装置において、扉の正面図である。
【図８】図７のＡ−Ａ断面図である。
【図９】本発明の第２の実施の形態に係る室内外差圧解消装置において、施錠装置の施錠動作に連動して空気流通路が閉鎖されている状態を示す断面図である。
【図１０】本発明の第２の実施の形態に係る室内外差圧解消装置において、ロッドとスライドバーの連結構造を示す分解斜視図である。
【図１１】本発明の第２の実施の形態に係る室内外差圧解消装置において、施錠装置の解錠動作に連動して空気流通路が開放されている状態を示す断面図である。
【図１２】本発明の第３の実施の形態に係る室内外差圧解消装置において、扉の正面図である。
【図１３】本発明の第３の実施の形態に係る室内外差圧解消装置において、収納ボックスの内部構造を示す正面図である。
【図１４】図１３のＢ−Ｂ断面図である。
【図１５】本発明の第３の実施の形態に係る室内外差圧解消装置の底面図である。
【図１６】図１３のＣ−Ｃ断面図である。
【発明を実施するための形態】
【００１３】
＜第１の実施の形態＞
以下、図面を参照しつつ、本発明の第１の実施の形態に係る室内外差圧解消装置について説明する。ここで、図１は本発明の第１の実施の形態に係る室内外差圧解消装置において施錠装置の施錠動作に連動して採風口が閉鎖されている状態を示す断面図、図２は本発明の第１の実施の形態に係る室内外差圧解消装置における施錠装置の施錠状態を示す断面図、図３は本発明の第１の実施の形態に係る室内外差圧解消装置において施錠装置の解錠動作に連動して採風口が開放されている状態を示す断面図、図４は本発明の第１の実施の形態に係る室内外差圧解消装置における施錠装置の解錠状態を示す断面図、図５は本発明の第１の実施の形態に係る室内外差圧解消装置におけるロッドを示す平面図である。
【００１４】
本発明の第１の実施の形態に係る室内外差圧解消装置１０は、キー又はサムターン１１の回転操作により施解錠する施錠装置１２と、室内外を連通する空気流通路に設けられた採風口１３と、採風口１３を開閉する開閉板１４とを備えた扉１５に設けられる。
【００１５】
施錠装置１２は、錠ケース１６を備えており、この錠ケース１６は、角箱状に形成されて一側面に開口を有するケース身１７と、ケース身１７の一側面の開口を閉塞する蓋体１８と、フロント１９とを有している。そして、錠ケース１６の蓋体１８には、ダルマ用取付け孔２０が形成され、このダルマ用取付け孔２０を基準にして上方の錠ケース１６内には、デッドボルト用案内軸２１と、揺動押し上げ片用回転軸２２と、ストッパー片用固定支軸２３が設けられている。
【００１６】
一方、ダルマ用取付け孔２０を基準にして下方の錠ケース１６内には、クランク板用軸２４、クランク板ストッパー用ピン２５、スライダー用縦長案内切欠部２６、バネ部材用固定軸２７が設けられている。なお、錠ケース１６には、その他案内部或いは案内部材、取付けベース板、支持板などの部位が適宜に設けられているが、本発明に関係のない部位は図示を省略している。
【００１７】
錠ケース１６には、ダルマ取付孔２０を介してダルマ２８が内装されており、このダルマ２８は、例えば、錠ケース１６のダルマ用取付け孔２０に対向するように形成された受座部２９に回動自在に設けられ、キー又はサムターン１１の操作によって回動可能となっている。また、ダルマ２８は、受座部２９に嵌合し、且つ、中心部に係合孔をするドラム形状の嵌合部３０と、この嵌合部３０の周壁の径方向に延出する駆動腕３１と、嵌合部３０の周壁の一部に周方向に沿って設けられた駆動歯３２とを有している。
【００１８】
ダルマ２８の上方には、デッドボルト３３が設けられている。このデッドボルト３３は、先端部にフロント１９の開口３４に案内されるブロック状係合頭部３５を有しており、この係合頭部３５に連設する中央部乃至後端部寄りには水平案内長孔３６が形成されている。そして、この水平案内長孔３６には錠ケース１６に横架されたデッドボルト用案内軸２１が貫通状態で挿嵌しており、これにより、デッドボルト３３は錠ケース１６のフロント１９から進退可能となっている。また、デッドボルト３３には、中空後端部の上部にダルマ２８の駆動腕３１が選択的に係合する第１係合切欠部３７が設けられ、さらに、中空後端部の上部端面から中央部寄りの部位にかけて第２係合切欠部３８が設けられている。なお、特に図示しないが、デッドボルト３３には、鎌片が回動自在に合体されている。
【００１９】
デッドボルト３３の上方には、錠ケース１６に横架されたストッパー片用固定支軸２３を介してストッパー片３９が軸支されている。このストッパー片３９は、ストッパー片用固定支軸２３に基端部が軸支され、ストッパー片３９の自由端部４０はデッドボルト３３の上部係合面に係合し、例えば図２に示すように施錠状態になった時、デッドボルト３３の後退を阻止するようになっている。また、ストッパー片用固定支軸２３には、ストッパー片３９をデッドボルト３３に係合する方向へ付勢する付勢バネ４１が巻装されている。
【００２０】
ダルマ２８の駆動腕３１には枢支ピン４２を介して揺動押し上げ片４３が連結されており、揺動押し上げ片４３は、ダルマ２８が回転すると揺動しながら昇降動し、これにより、ストッパー片３９がデッドボルト３３の上部係合面と係脱可能となっている。この揺動押し上げ片４３は、十手型形状に形成され、その長杆部４４はデッドボルト３３の中空後端部並びに揺動押し上げ片用回転軸２２を貫通している。そして、貫通した長杆部４４の上端部は、ストッパー片３９の下面に形成された板状当接部４５に当接しており、長杆部４４にコイルバネ４６が巻装している。
【００２１】
クランク板用軸２４は錠ケース１６の中央部に横架されており、このクランク板用軸２４にはクランク板４７が軸支されている。クランク板４７は、中心孔４８を有する円板部４９と、この円板部４９の一部から径方向に突出する連結部５０とから成り、円板部４９の外周壁の一部には、周方向にダルマ２８の駆動歯３２に噛合する従動歯５１が形成されている。また、連結部５０には、クランクピン５２用の貫通孔５３と、クランク板ストッパー用ピン２５に当接する湾曲状の当り面５４とがそれぞれ形成されている。さらに、クランク板４７の連結部５０を挟むように一対の連結板５５が設けられており、連結板５５の上端部及び下端部にはそれぞれ上部貫通孔５６及び下部貫通孔５７が形成され、上部貫通孔５６は連結部５０の貫通孔５３に一致するように設けられている。
【００２２】
連結板５５には、下部貫通孔５７を介してスライダー５８が昇降可能に連結されている。スライダー５８は、金属又は合成樹脂材製であり、下部板５９の両側から上向きコ字型状に一対の支持板６０が形成されて構成されており、下部板５９の両側壁にはスライダー用縦長案内切欠部２６に係合する案内突起６１が形成されている。また、支持板６０の中央上部には可動軸６２用の軸孔６３が形成されていると共に、突起状の端部６４には、バネ用支持棒６５が横設されている。可動軸６２の突出両端部は支持板６０の外壁面から突出し、案内突起６１と同様に縦長案内切欠部２６に係合している。さらに、支持板６０の外壁面には所要間隔で複数個の摺接突起６６が突出形成されており、スライダー５８はこれらの摺接突起６６を介して錠ケース１６の内壁面をスライドするようになっている。
【００２３】
バネ用支持棒６５には、メガネ状のスライダー用バネ６７の一端部が取り付けられ、スライダー用バネ６７の他端部は錠ケース１６に横架されたバネ部材用固定軸２７に取り付けられている。このスライダー用バネ６７は、スライダー５８を押し下げる方向に付勢し、その中心部６８はスライダー５８の昇降動に対応して所定位置へ移動するようになっている（図２及び図４参照）。
【００２４】
下部板５９の中央部には、連結用メネジ孔（図示省略）が螺刻されており、この連結用メネジ孔にロッド６９の上端部に形成されたオネジ部７０が取り外し自在に螺合している。また、ロッド６９の下端部にはピン孔７１が穿設されており、このピン孔７１に貫通状態で挿入されたピン７２の両端に２枚一対の開閉板１４の上端部がそれぞれ支持され、これにより、開閉板１４はロッド６９と共に扉１５内を昇降可能に設けられている。各開閉板１４にはそれぞれ同一高さ且つ同一間隔で複数の開口７３が水平に形成されており、採風口１３には開閉板１４の開口７３と同一高さ且つ同一間隔で開口７４が水平に形成されている。
【００２５】
このような構成を備えた室内外差圧解消装置１０において、施錠装置１２が図２に示す施錠状態にある場合、デッドボルト３３がフロント１９より突出し、ストッパー片３９の自由端部４０がデッドボルト３３の上部係合面に係合し、デッドボルト３３の後退が阻止されている。また、この場合、図１に示すように、開閉板１４の開口７３と採風口１３の開口７４は互い違いにずれた配置となっており、採風口１３は開閉板１４により閉塞され、室内外の空気の流通は遮断されている。
【００２６】
この施錠状態の位置から、キー又はサムターン１１を操作して、ダルマ２８を、図４に示す解錠状態の位置へ（図示時計回りへ）回転させると、駆動腕３１の回転に伴って揺動押し上げ片４３の上端部がストッパー片３９の板状当接部４５に突き当たり、ストッパー片３９は、付勢バネ４１のバネ力に抗してストッパー片用固定支軸２３を支点に上方に回転する。この結果、ストッパー片３９の自由端部４０はデッドボルト３３の上部係合面から離れ、デッドボルト３３は錠ケース１６の内部へと後退し、施錠装置１２は解錠された状態となる。
【００２７】
一方、上記したようにダルマ２８が図示時計回りへ回転すると、駆動歯３２及び従動歯５１を介してクランク板４７は図示反時計回りへと回転し、連結部５０の回転に伴って連結板５５は傾倒状態になる。連結板５５が傾倒状態になると、スライダー５８は、案内突起６１及び可動軸６２の突出両端部が錠ケース１６の縦長案内切欠部２６に係合案内されて上方に摺動することにより、直線状に上昇する。この時、スライダー５８の支持板６０の摺動突起６６がその滑動を良好にならしめるので、スライダー５８は円滑に上昇する。
【００２８】
このスライダー５８の上昇に伴い、ロッド６９は扉１５内を軸方向に上昇し、ロッド６９の下端に固定された開閉板１４が上昇し、開閉板１４の開口７３と採風口１３の開口７４とが重なった状態となる。これにより、各開口７３，７４を介して室内外の空気の流通が可能となり、室内外の圧力差が解消され、扉を容易に開閉できるようになる。
【００２９】
なお、上記した実施の形態において説明した施錠装置１２の機構や、採風口１３を開閉板１４により開閉する機構は単なる例示に過ぎず、各種変形が可能であることは言う迄もない。
【００３０】
＜第２の実施の形態＞
以下、図６〜図１１を参照しつつ、本発明の第２の実施の形態に係る室内外差圧解消装置１０について説明する。説明の便のため、扉１５の室内側を室内外差圧解消装置１０の正面側（前側）とし、扉１５の室外側を室内外差圧解消装置１０の裏面側（後側）とする。なお、施錠装置１２の構成については、第１の実施の形態と同様であるため図示及び説明を省略する。
【００３１】
図６に示されるように、扉１５の外壁面７５には、木口７６から所定の間隔を介した位置に縦長長方形状の外側開口７７が穿設され、外側開口７７には室外側カバー７８が取り付けられている。室外側カバー７８には、上端から下端までスリット状の室外側通気口７９が多数設けられている。
【００３２】
図７に示されるように、扉１５の内壁面８０には、外側開口７７よりも木口７６に近い位置に、縦長長方形状の内側開口８１が穿設されている。内側開口８１には、室内側が開口されたユニットボックス８２が埋設されている（図８参照）。ユニットボックス８２には、その開口を覆うようにして室内側カバー８４が取り付けられている。室内側カバー８４には、上端から下端までスリット状の室内側通気口８５が多数設けられている。
【００３３】
図９に示されるように、ユニットボックス８２の上端壁８３の右端部には、挿通孔８６が上下方向に穿設されている。ユニットボックス８２の上端壁８３の上面と錠ケース１６の下端面の間には、上下方向に挿通孔８８が穿設された角柱状のスポンジブロック８７が嵌入されている。スポンジブロック８７の挿通孔８８及び上端壁８３の挿通孔８６には、ロッド６９が貫挿されており、これにより、ロッド６９の下端部がユニットボックス８２内に挿入されている。ロッド６９の外周とスポンジブロック８７の挿通孔８８の内周との間には、僅かな隙間が設定されている。ユニットボックス８２の左側板９０には、縦長長方形状の空気連通孔９１が上下方向に連続して５個穿設されている。
【００３４】
ユニットボックス８２内には、平面視コ字状の枠体９２が収納されている。枠体９２の左面板９３には、ユニットボックス８２の各空気連通孔９１と対応する位置に、縦長長方形状の側方連通孔９４が設けられている。各側方連通孔９４及び各空気連通孔９１の周囲にはパッキン９５が配置されている。このパッキン９５内の空間９６は、扉１５内においてユニットボックス８２の左方に形成されている空間９７（以下、「左方空間９７」と称する。）と、外壁面７５の外側開口７７と、室外側カバー７８の室外側通気口７９と、を介して、室外側の空間と連通している（図８参照）。
【００３５】
枠体９２の前面板１００及び背面板１０１の左側には、縦長長方形状の連通孔１０２が各側方連通孔９４と対応する高さに穿設されており、前面板１００の連通孔１０２及び室内側カバー８４の室内側通気口８５を介して、枠体９２の内部の空間９８が、室内側の空間と連通している（図９参照）。前面板１００及び背面板１０１には、各連通孔１０２の左上方にあたる位置に取付孔１０４が穿設されている。前面板１００には、各連通孔１０２の右方に丸孔１０３が３個ずつ上下方向に連続して穿設されている。
【００３６】
枠体９２の右側には、連結板１０５が取り付けられている。連結板１０５には、複数の切欠部１０６が上下方向に連続して設けられている。連結板１０５には、上から２番目の切欠部１０６の上縁から左方に向かって上方取付部１０７が突設され、この上方取付部１０７にコイルスプリング１０８の上端が取り付けられている。
【００３７】
枠体９２の内部右側には、前後一対のガイド１１０が固定され、このガイド１１０には、昇降部材としてのスライドバー１１１が上下動可能に収納されている。スライドバー１１１には、枠体９２の各側方連通孔９４と対応する高さに、縦長長方形状の係合穴１１２が左右方向に穿設されている。各係合穴１１２の周囲には、樹脂製（ＰＯＭ製）のガイド枠１１３が固定されている。各係合穴１１２の形成間隔には孔１１４が３個ずつ設けられている。スライドバー１１１には、上から３番目の孔１１４の下端から右方に向かって下方取付部１１５が突設され、この下方取付部１１５には、前述の如く上方取付部１０７に上端を接続されるコイルスプリング１０８の下端が接続されている。これにより、コイルスプリング１０８の付勢力でスライドバー１１１が上方に付勢されている。
【００３８】
スライドバー１１１の上端部は、連結金具１１６を介してロッド６９の下端部に接続されている。図１０に示されるように、連結金具１１６は、右端部にＵ字状の嵌合溝１１７を有する水平板１１８と、この水平板１１８の前端部から下方に向かって屈曲されると共に上下一対のビス孔１２０を有する垂直板１２１と、から構成されている。そして、ロッド６９の下端外周に設けられた環状溝１２２を水平板１１８の嵌合溝１１７に嵌合させ、スライドバー１１１の上下一対のビス孔１２３と連結金具１１６の上下一対のビス孔１２０にビス１２４を貫挿させることで、連結金具１１６を介してロッド６９とスライドバー１１１が連結されている。これにより、ロッド６９の上下動に伴って、スライドバー１１１が枠体９２の内部を上下動するように構成されている。
【００３９】
枠体９２内には、スライドバー１１１の左方で、且つ、各側方連通孔９４と対応する高さに、計５個の開閉板１４が上下方向に設けられている。各開閉板１４は、前後一対で縦長形状の取付板１２６と、この前後一対の取付板１２６の左端部を連結する閉鎖板１２７と、取付板１２６の上部から右方に向かって突設された係合突起１２８と、を備えている。
【００４０】
取付板１２６には、右上端部に上側湾曲部１３０が設けられ、右下部に下側湾曲部１３１が設けられている。取付板１２６の上端左側には、それぞれ軸支ピン孔１３２が穿設されており、この軸支ピン孔１３２と枠体９２の取付孔１０４に軸支ピン１３３を貫挿させることで、枠体９２に各開閉板１４が軸支され、各開閉板１４が、鉛直姿勢（図９参照）と傾斜姿勢（図１１参照）との間で、上端側を支点に回転するように構成されている。取付板１２６には、大きさの異なる多数の丸孔１３４が、全面に亘って穿設されている。
【００４１】
閉鎖板１２７は、縦長長方形状に形成されている。図８に示されるように閉鎖板１２７は、室外側通気口７９と、左方空間９７と、パッキン９５の内側の空間９６と、枠体９２の内部の空間９８と、前面板１００の連通孔１０２と、室内側通気口８５と、から構成される空気流通路１３９に設けられている。そして、各開閉板１４が鉛直姿勢（図９参照）にある場合には、パッキン９５に閉鎖板１２７が密接して空気流通路１３９が閉鎖され、各開閉板１４が傾斜姿勢にある場合（図１１参照）には、パッキン９５から閉鎖板１２７が分離して空気流通路１３９が開放されるように構成されている。
【００４２】
係合突起１２８は、スライドバー１１１に設けられた各係合穴１１２に上下動可能に係合している。係合突起１２８には、樹脂製（ＰＯＭ製）のキャップ１３６が装着されており、キャップ１３６の前後両側部が、各係合穴１１２に取り付けられたガイド枠１１３の左右両側部に摺接又は近接している。キャップ１３６の先端面には、上下方向の中央に中央切欠部１３７が設けられている。
【００４３】
このような構成を備えた室内外差圧解消装置１０において、施錠装置１２が施錠状態にある場合、図９に示されるように、ガイド枠１１３の上縁部とキャップ１３６の上面が当接することで開閉板１４の回転が規制されており、開閉板１４の鉛直姿勢が保持されている。そのため、開閉板１４の閉鎖板１２７がパッキン９５に密接して空気流通路１３９を閉鎖しており、室内外の空気の連通は遮断されている。
【００４４】
この施錠状態から、施錠装置１２を解錠状態へと移行すると、第１の実施の形態と同様の作用によりロッド６９が扉１５内を上昇し、ロッド６９に連結されたスライドバー１１１も上昇する。このスライドバー１１１の上昇により、ガイド枠１１３の上縁部とキャップ１３６の上面の当接状態が解除される。スライドバー１１１が更に上昇すると、ガイド枠１１３の下縁部とキャップ１３６の下面が当接し、係合穴１１２の周囲のスライドバー１１１が、ガイド枠１１３及びキャップ１３６を介して係合突起１２８を押上げる。この押上げにより、図１１に示されるように、開閉板１４が空気流通路１３９を開放する方向に回転して傾斜状態に移行し、これに伴って開閉板１４の閉鎖板１２７がパッキン９５から分離して、室内外の空気の連通が可能となる。これにより、室内外の圧力差が解消され、扉１５を容易に開閉できるようになる。
【００４５】
上記した解錠状態から施錠装置１２を施錠状態へと再度移行すると、第１の実施の形態と同様の作用によりロッド６９が扉１５内を下降し、ロッド６９に連結されたスライドバー１１１も下降する。この下降により、係合穴１１２の周囲のスライドバー１１１による係合突起１２８の押上げが解除される。スライドバー１１１が更に上昇すると、ガイド枠１１３の上縁部とキャップ１３６の上面が当接し、係合穴１１２の周囲のスライドバー１１１が、ガイド枠１１３及びキャップ１３６を介して係合突起１２８を押下げる。この押下げにより、図９に示されるように、開閉板１４が空気流通路１３９を閉鎖する方向に回転して鉛直状態に移行し、開閉板１４の閉鎖板１２７がパッキン９５に密接して、室内外の空気の連通が遮断される。
【００４６】
本実施の形態では上記の如く、上端側を支点に回転可能な複数の開閉板１４によって空気流通路１３９の開閉を行っている。このような構成を採用することにより、第１の実施の形態の場合のように開閉板１４をスライドさせる構成よりも、開閉板１４によって開閉される部分の断面積を広くすることが可能となる。そのため、空気流通路１３９内における空気の流通が良好になり、室内外の差圧解消効果を一層高めることが可能となる。
【００４７】
また、本実施の形態では、枠体９２内において開閉板１４が上下方向に配置されているため、開閉板１４を左右方向や斜め方向に配置する場合と比較して、開閉板１４が扉１５の両壁面７５、８０から突出するのを抑制することが可能となる。そのため、扉１５全体の外観の向上を図ることが可能となる。
【００４８】
また、本実施の形態では、スライドバー１１１に設けられた係合穴１１２に開閉板１４に設けられた係合突起１２８を係合させている。このような構成を採用することで、係合穴１１２の上下幅を適宜調節することで、係合突起１２８の押上げ幅を変化させることが可能となり、これに伴って、空気流通路１３９の開放度を自由に設定することが可能となる。
【００４９】
また、ロッド６９及びスライドバー１１１を上昇させる際には、荷重方向と逆方向にロッド６９及びスライドバー１１１を押上げることになるため、ロッド６９及びスライドバー１１１を下降させる場合よりも、大きな力が必要になる。この点、本実施の形態では、コイルスプリング１０８によりスライドバー１１１が上方に付勢されているため、ロッド６９及びスライドバー１１１の上昇に必要な力を軽減して、両部材の上昇を容易に行うことが可能となる。なお、本実施の形態では、スライドバー１１１と枠体９２の間にコイルスプリング１０８を介装する構成としたが、コイルスプリング１０８は、スライドバー１１１を上方に付勢することができれば、いずれの場所に配置されていても良い。
【００５０】
本実施の形態では、スライドバー１１１によって係合突起を押上げる構成を採用したが、他の異なる実施形態では、付勢部材（図示せず）によって空気流通路１３９を開放する方向に開閉板１４を付勢しておき、ロッド６９が上昇すると、付勢部材の付勢力により空気流通路１３９を開放する方向に開閉板１４が回転するように構成されていても良い。
【００５１】
また、本実施形態では、扉１５の外壁面７５に設けられた外側開口７７と扉１５の内壁面８０に設けられた内側開口８１の間に空気流通路１３９を形成しているが、他の異なる実施形態では、扉の木口７６に木口側開口部（図示せず）を設け、この木口側開口部と内側開口８１の間に空気流通路１３９を形成しても良い。この場合には、木口側開口部に沿って開閉板１４を配置する構成であっても良い。
【００５２】
＜第３の実施の形態＞
以下、図１２〜１６を参照しつつ、本発明の第３の実施の形態に係る室内外差圧解消装置１０について説明する。説明の便のため、扉１５の室内側を室内外差圧解消装置１０の正面側（前側）とし、扉１５の室外側を室内外差圧解消装置１０の裏面側（後側）とする。なお、施錠装置１２の構成については、第１の実施の形態と同様であるため図示及び説明を省略する。
【００５３】
扉１５の下部には、外壁面７５から内壁面８０まで横長長方形状の連通開口部１３８が設けられ、この連通開口部１３８には、パッキン１４０を介して横長形状の収納ボックス１４１が取り付けられている。収納ボックス１４１は正面側が開口されており、収納ボックス１４１の後部は室外側に突出している。扉１５の内壁面８０には、収納ボックス１４１の開口を覆うようにして横長形状のカバー１４２が取り付けられている（図１２参照）。カバー１４２には、左端部から右端部までスリット状の通気口１４３が多数設けられている。なお、図１３において、カバー１４２は図示が省略されている。
【００５４】
収納ボックス１４１の天板１４４の右端部にはバネ用取付板１４５が取り付けられ、このバネ用取付板１４５に固定された上方取付ネジ１４６には、付勢部材としてのコイルスプリング１４７の上端が取り付けられている。図１４に最も良く示されるように、収納ボックス１４１の天板１４４の右端前側には、挿通孔１４８が穿設されている。収納ボックス１４１の天板１４４の上面と連通開口部１３８の上端壁１５５の間には円環状のスポンジリング１４９が嵌入され、このスポンジリング１４９には挿通孔１５０が上下方向に穿設されている。スポンジリング１４９の挿通孔１５０及び天板１４４の挿通孔１４８にはロッド６９が貫挿されており、これにより、ロッド６９の下端部が収納ボックス１４１内に挿入されている。ロッド６９の外周とスポンジリング１４９の挿通孔１５０の内周との間には、僅かな隙間が設定されている。ロッド６９の下端部には、雌ネジ部１５１が設けられている。
【００５５】
ロッド６９の下端部には、昇降部材としてのプッシュプレート１５２が接続されている。プッシュプレート１５２の前端部には、ボルト孔１５３が上下方向に穿設され、このボルト孔１５３に貫挿させたボルト１５４を雌ネジ部１５１に螺合させることで、ロッド６９の下端にプッシュプレート１５２が連結されている。
【００５６】
図１５に示されるように、収納ボックス１４１の底板１５６には、横長長方形状の通気開口部１５７が左右一対で穿設され、図１６に示されるように、通気開口部１５７を介して、収納ボックス１４１内の空間１５８が室外側の空間と連通している。収納ボックス１４１の底板１５６には、各通気開口部１５７の外周に沿ってパッキン１６０が配置され、このパッキン１６０の上面を覆うようにしてフレーム部材１６１が取り付けられている。
【００５７】
収納ボックス１４１内には、一対の通気開口部１５７の上方に横長長方形状の開閉板１４が設けられている。開閉板１４の前縁部及び両側縁部には、それぞれ上方に向かって屈曲部１６２が設けられ、両側縁部の屈曲部１６２の後端にはそれぞれ貫挿孔１６３が設けられている（図１６参照）。
【００５８】
各貫挿孔１６３には、開閉板１４の後端部に複数の固定ネジ１６４（図１３参照）によって固定された回転軸１６５が貫挿されている。回転軸１６５は、収納ボックス１４１の底板１５６の左右両端部に立設されたプレート部材１６６にガイドブッシュ１６７を介して軸支されており、これにより、開閉板１４が傾斜姿勢（図１６の実線部分参照）と水平姿勢（図１６の二点鎖線部分参照）との間で、後端側を支点に回転するように構成されている。
【００５９】
図１６に示されるように開閉板１４は、パッキン１６０の内部の空間１５９と、収納ボックス１４１の内部の空間１５８と、カバー１４２の通気口１４３と、から構成される空気流通路１６９に設けられている。そして、開閉板１４が水平姿勢にある場合には、パッキン１６０に開閉板１４が密接して空気流通路１６９が閉鎖され、開閉板１４が傾斜姿勢にある場合には、パッキン１６０から開閉板１４が分離して空気流通路１６９が開放されるように構成されている。
【００６０】
開閉板１４には、アーム部材１６８が回転一体に設けられている。アーム部材１６８は、回転軸１６５の右端部に固定されている。図１４に示されるようにアーム部材１６８の後側には、上下一対の挟持片１７０が設けられている。上側の挟持片１７０の下面と下側の挟持片１７０の上面には、それぞれ断面コ字状の挟持部１７１が設けられている。上下一対の挟持片１７０の後端部には、それぞれ締付ボルト孔１７２が穿設されている。そして、挟持部１７１の間に回転軸１６５の右端部を挿入した状態で、締付ボルト孔１７２に締付ボルト１７３を締め込むことで、回転軸１６５にアーム部材１６８が固定されている。
【００６１】
アーム部材１６８の前側には、左右一対のローラ取付板１７４が設けられている。左右一対のローラ取付板１７４の前下部にはピン１７６が架設されており、ピン１７６には、ローラ１７７が軸支されている。ローラ１７７の上端は、プッシュプレート１５２の下面に当接している。
【００６２】
左側のローラ取付板１７４の前上部には下方取付ネジ１７８が固定され、下方取付ネジ１７８には、前述の如く上方取付ネジ１４６に上端を取り付けられたコイルスプリング１４７の下端が取り付けられている。これにより、アーム部材１６８及び回転軸１６５を介して、開閉板１４が空気流通路１６９を開放する方向に付勢されている。
【００６３】
このような構成を備えた室内外差圧解消装置１０において、施錠装置１２が施錠状態にある場合、プッシュプレート１５２がローラ１７７を押下げて開閉板１４の回転が規制されており、開閉板１４の水平姿勢が保持されている（図１４及び図１６の二点鎖線参照）。そのため、開閉板１４がパッキン１６０に密接して空気流通路１６９を閉鎖しており、室内外の空気の連通は遮断されている。
【００６４】
この施錠状態から、施錠装置１２を解錠状態へと移行すると、第１の実施の形態と同様の作用によりロッド６９が扉１５内を上昇し、ロッド６９に連結されたプッシュプレート１５２も上昇する。そのため、プッシュプレート１５２によるローラ１７７の押下げが解除される。これに伴って、コイルスプリング１４７の付勢力により空気流通路１６９を開放する方向に開閉板１４が回転して傾斜姿勢に移行し、開閉板１４がパッキン１６０から分離して、室内外の空気の連通が可能となる。これにより、室内外の圧力差が解消され、扉１５を容易に開閉できるようになる。
【００６５】
上記した解錠状態から施錠装置１２を施錠状態へと再度移行すると、第１の実施の形態と同様の作用によりロッド６９が扉１５内を下降し、ロッド６９に連結されたプッシュプレート１５２も下降する。これに伴って、プッシュプレート１５２の下面がローラ１７７の上端を押圧してローラ１７７を押下げる。これにより、コイルスプリング１４７の付勢力に抗して空気流通路１６９を閉鎖する方向に開閉板１４が回転して水平状態に移行し、開閉板１４がパッキン１６０に密接して、室内外の空気の連通が遮断される。
【００６６】
本実施の形態では上記の如く、後端側を支点に回転可能な開閉板１４によって空気流通路１６９の開閉を行っている。このような構成を採用することにより、第１の実施の形態の場合のように開閉板１４をスライドさせる構成よりも、開閉板１４によって開閉される部分の断面積を広くすることが可能となる。そのため、空気流通路１６９内における空気の流通が良好になり、室内外の差圧解消効果を一層高めることが可能となる。
【００６７】
また、本実施の形態では、プッシュプレート１５２によりローラ１７７を押下げる構成であるため、上記した押圧に伴ってローラ１７７が回転することで、プッシュプレート１５２とローラ１７７との間の摩擦が軽減される。そのため、プッシュプレート１５２によるローラ１７７の押圧を円滑に行うことが可能となる。
【符号の説明】
【００６８】
１０          室内外差圧解消装置
１１          サムターン
１２          施錠装置
１３          採風口（空気流通路）
１４          開閉板
１５          扉
１６          錠ケース
１９          フロント
２８          ダルマ
３１          駆動腕
３２          駆動歯
３３          デッドボルト
４７          クランク板
５１          従動歯
５８          スライダー
６９          ロッド
１１１        スライドバー（昇降部材）
１１２        係合穴
１２８        係合突起
１４７  コイルスプリング（付勢部材）
１５２  プッシュプレート（昇降部材）
１７７  ローラ
【図１】
2012007464.tif 000003
【図２】
2012007464.tif 000004
【図３】
2012007464.tif 000005
【図４】
2012007464.tif 000006
【図５】
2012007464.tif 000007
【図６】
2012007464.tif 000008
【図７】
2012007464.tif 000009
【図８】
2012007464.tif 000010
【図９】
2012007464.tif 000011
【図１０】
2012007464.tif 000012
【図１１】
2012007464.tif 000013
【図１２】
2012007464.tif 000014
【図１３】
2012007464.tif 000015
【図１４】
2012007464.tif 000016
【図１５】
2012007464.tif 000017
【図１６】
2012007464.tif 000018